(57)【要約】【課題】高い解像度の画像を安定して表示することができる画像表示装置を提供すること。【解決手段】画像表示装置は、マイクロコンピュータ２と、光学系１３３とを備え、マイクロコンピュータ２は、色相画素生成手段および輝度画素生成手段を実現するプログラムを実行するＣＰＵ２１と、ＲＧＢ信号を入力するＲＧＢ信号入力部２３と、色相画素を出力する色相画素出力部２４と、輝度画素を出力する輝度画素出力部２５とを有し、光学系１３３は、色相画素を表示する第１変調部３０と、輝度画素を表示する第２変調部４０と、第１変調部３０からの光を反射する凹面鏡１３３ｂとを有し、凹面鏡１３３ｂの反射面の焦点位置Ｐ１に第１変調部３０を設け、焦点位置Ｐ２に第２変調部４０を設けた構成を有する。【選択図】図２
2010039184.tif 000002
【特許請求の範囲】
【請求項１】
ＲＧＢ信号に基づいて色相画素を生成する色相画素生成手段と、前記ＲＧＢ信号に基づいて輝度画素を生成する輝度画素生成手段と、前記色相画素と前記輝度画素とを重畳してカラー画像を表示する表示手段とを備え、
前記色相画素生成手段が、前記ＲＧＢ信号に基づいて複数の前記輝度画素ごとに１つの色相画素を生成する色相画素生成部を有し、
前記輝度画素生成手段が、前記ＲＧＢ信号に基づいて前記輝度画素を生成する輝度画素生成部を有し、
前記表示手段が、前記色相画素を表示する色相画素表示部と、前記輝度画素を対応する前記色相画素に重畳して表示する輝度画素表示部と、反射面が回転楕円面で形成された凹面鏡とを有し、
前記凹面鏡の一方の焦点位置に前記色相画素表示部を設け、前記凹面鏡の他方の焦点位置に前記輝度画素表示部を設けたことを特徴とする画像表示装置。
【請求項２】
前記輝度画素表示部が、前記凹面鏡からの反射光の輝度を前記輝度画素に基づいて制御するモノクローム液晶パネルを有し、
前記反射光を入射する前記モノクローム液晶パネルの入射面が、前記反射光の進行方向に対して予め定められた角度で傾斜していることを特徴とする請求項１に記載の画像表示装置。
【請求項３】
前記色相画素表示部が、白色光を発光する光源と、前記白色光を赤色光、緑色光および青色光に分離する光分離手段と、前記赤色光、緑色光および青色光の透過光量を前記色相画素に基づいて制御する赤色光用液晶パネル、緑色光用液晶パネルおよび青色光用液晶パネルと、前記赤色光用液晶パネル、緑色光用液晶パネルおよび青色光用液晶パネルを透過した赤色光、緑色光および青色光を合成する光合成手段とを有し、
前記輝度画素表示部が、前記光合成手段が合成した光の輝度を前記輝度画素に基づいて制御するモノクローム液晶パネルを有することを特徴とする請求項１に記載の画像表示装置。
【請求項４】
前記色相画素表示部が、白色光を発光する光源と、前記白色光の透過光量を制御する低解像度モノクローム液晶パネルと、前記低解像度モノクローム液晶パネルを透過した白色光に前記色相画素に基づいて色相を与えるカラーフィルタとを有し、
前記輝度画素表示部が、前記色相の与えられた前記白色光の輝度を前記輝度画素に基づいて制御するモノクローム液晶パネルを有することを特徴とする請求項１に記載の画像表示装置。
【請求項５】
前記モノクローム液晶パネルが、第１のモノクローム液晶パネルと、前記第１のモノクローム液晶パネルに対して１／２画素ずらして配置される第２のモノクローム液晶パネルとを有することを特徴とする請求項３または請求項４に記載の画像表示装置。
【請求項６】
ＲＧＢ信号に基づいて色相画素を生成する色相画素生成手段と、前記ＲＧＢ信号に基づいて輝度画素を生成する輝度画素生成手段と、前記色相画素と前記輝度画素とを重畳してカラー画像を表示する表示手段とを備え、
前記色相画素生成手段が、前記ＲＧＢ信号に基づいて複数の前記輝度画素ごとに１つの色相画素を生成する色相画素生成部と、前記色相画素の色相および彩度を補正する色相画素補正部とを有し、
前記輝度画素生成手段が、前記ＲＧＢ信号に基づいて前記輝度画素を生成する輝度画素生成部と、前記輝度画素の輝度を補正後の前記色相画素の輝度に基づいて補正する輝度画素補正部とを有し、
前記表示手段が、補正後の前記色相画素を表示する色相画素表示部と、補正後の前記輝度画素を対応する前記色相画素に重畳して表示する輝度画素表示部と、反射面が回転楕円面で形成された凹面鏡とを有し、
前記凹面鏡の一方の焦点位置に前記色相画素表示部を設け、前記凹面鏡の他方の焦点位置に前記輝度画素表示部を設けたことを特徴とする画像表示装置。
【請求項７】
前記輝度画素生成手段が、補正後の前記色相画素の輝度が所定の閾値輝度以下であるときは、補正後の前記輝度画素を強調する低輝度強調部を有し、
前記色相画素生成手段が、前記輝度画素の強調に応じて補正後の前記色相画素の輝度を弱化する色相画素輝度弱化部を有することを特徴とする請求項６に記載の画像表示装置。
【発明の詳細な説明】
【技術分野】
【０００１】
本発明は、画像表示装置に係り、特に、高い解像度の画像を安定して表示することができる画像表示装置に関する。
【背景技術】
【０００２】
カラー画像表示装置は、テレビジョン受像機あるいはパーソナルコンピュータの表示装置として多用されており、直視型と投射型とに大別できる。このうちの投射型表示装置としては、１枚の液晶板で赤色光、緑色光および青色光を変調する単板式（例えば、特許文献１参照）と、赤色光、緑色光および青色光を個別の液晶板で変調する３板式（例えば、特許文献２参照）とがある。
【０００３】
しかしながら、従来の投射型表示装置において高解像度を実現するためには、画素数を増す必要があるが、画像表示面積を一定とすれば１画素を小型化する必要があるだけでなく、１画素に赤緑青の三色の発光素子を含める必要があるため、各色の発光素子は一層小型化する必要があり、装置自体が高価格となるという課題があった。
【０００４】
この課題の解決を図ることを目的として、表示素子を直列に並べて二重に変調をかけることによって広ダイナミックレンジの表示を実現するものが提案されている（例えば、特許文献３参照）。
【０００５】
図２３は、特許文献３に示された投射型表示装置の構成を概念的に示す図であって、この投射型表示装置は、色相画素を表示する第１変調部２０１と、リレーレンズ２０２と、輝度画素を表示する第２変調部２０３と、投射レンズ２０４とを備える。第１変調部２０１は、白色光源と、低解像度の赤色（Ｒ）用液晶パネル、緑色（Ｇ）用液晶パネルおよび青色（Ｂ）用液晶パネルとを備え、ＲＧＢ各色用液晶パネルは、それぞれ、白色光から分離されたＲＧＢ各色光の強度をＲＧＢ信号に基づいて変調して出射するものである。また、第２変調部２０３は、ＲＧＢ信号により輝度が変調された光を出射する高解像度の液晶パネルで構成されるものである。この構成により、図２３に示した従来の投射型表示装置は、安価で高い解像度を有するものとなっている。
【特許文献１】特開２００１−３３８２０号公報
【特許文献２】特開２００４−２２６９１４号公報
【特許文献３】特開２００６−１１３１９３号公報
【発明の開示】
【発明が解決しようとする課題】
【０００６】
しかしながら、従来の構成では、第１変調部２０１と第２変調部２０３とが離れているため、光学系の調整が困難であるとともに、表示装置の筐体全体を精度良く製作する必要があるという課題があった。これは、第１変調部２０１を構成するＲＧＢ各色用液晶パネルの相対位置などが変化すると最終的な画像出力に影響するからである。特に、第２変調部２０３がＲＧＢ各色用液晶パネルから離れていることにより温度上昇などが第１変調部２０１と同じではないので光学系の頻繁な調整が必要であり、また、第１変調部２０１と第２変調部２０３との相対位置が変化しないように全体を頑強な筐体で囲むなどの製造上の課題がある。ちなみに従来構成では第１変調部２０１と第２変調部２０３とが５０ｃｍ程度離れており、これらを一体型の頑強な台座にのせているが、温度変化や微少な振動が表示画像に大きく影響し、画像を安定して表示できないという課題があった。
【０００７】
そこで、第１変調部２０１と第２変調部２０３とを互いに近く設置して、相対的な位置ずれや温度変化の影響を受けにくくする構成として、例えば図２４に示すようにミラーを使うことが考えられる。この構成は光学的には従来構成におけるリレーレンズ２０２の代わりにミラー２０５を用いたもので、第１変調部２０１からの光を反射することにより、第１変調部２０１と第２変調部２０３とを近接して設置することができる。
【０００８】
しかしながら、単純に光を反射する構成では解像度が大幅に低下する。具体的には、図２５に示すように、第１変調部２０１からの出射光は平行光に近いものの数度の広がりを有しているので、出射光が例え０．１°としても１０ｃｍ離れた場所では３５０μｍに広がる。表示素子上での１画素の大きさは最近では１０μｍ以下になっているので、３５０μｍの広がりは４０画素以上に相当する場合がある。従って、図２４に示した構成の表示装置では解像度が大幅に低下するので実用化できない。
【０００９】
本発明は、前述のような事情に鑑みてなされたものであり、高い解像度の画像を安定して表示することができる画像表示装置を提供することを目的とする。
【課題を解決するための手段】
【００１０】
本発明の画像表示装置は、ＲＧＢ信号に基づいて色相画素を生成する色相画素生成手段と、前記ＲＧＢ信号に基づいて輝度画素を生成する輝度画素生成手段と、前記色相画素と前記輝度画素とを重畳してカラー画像を表示する表示手段とを備え、前記色相画素生成手段が、前記ＲＧＢ信号に基づいて複数の前記輝度画素ごとに１つの色相画素を生成する色相画素生成部を有し、前記輝度画素生成手段が、前記ＲＧＢ信号に基づいて前記輝度画素を生成する輝度画素生成部を有し、前記表示手段が、前記色相画素を表示する色相画素表示部と、前記輝度画素を対応する前記色相画素に重畳して表示する輝度画素表示部と、反射面が回転楕円面で形成された凹面鏡とを有し、前記凹面鏡の一方の焦点位置に前記色相画素表示部を設け、前記凹面鏡の他方の焦点位置に前記輝度画素表示部を設けた構成を有している。
【００１１】
この構成により、本発明の画像表示装置は、色相画素生成手段と輝度画素生成手段とを近接して設けることができるので、温度変化や微少な振動等に影響されることなく、高い解像度の画像を安定して表示することができる。
【００１２】
本発明の画像表示装置は、前記輝度画素表示部が、前記凹面鏡からの反射光の輝度を前記輝度画素に基づいて制御するモノクローム液晶パネルを有し、前記反射光を入射する前記モノクローム液晶パネルの入射面が、前記反射光の進行方向に対して予め定められた角度で傾斜している構成を有してもよい。
【００１３】
本発明の画像表示装置は、前記色相画素表示部が、白色光を発光する光源と、前記白色光を赤色光、緑色光および青色光に分離する光分離手段と、前記赤色光、緑色光および青色光の透過光量を前記色相画素に基づいて制御する赤色光用液晶パネル、緑色光用液晶パネルおよび青色光用液晶パネルと、前記赤色光用液晶パネル、緑色光用液晶パネルおよび青色光用液晶パネルを透過した赤色光、緑色光および青色光を合成する光合成手段とを有し、前記輝度画素表示部が、前記光合成手段が合成した光の輝度を前記輝度画素に基づいて制御するモノクローム液晶パネルを有してもよい。
【００１４】
本発明の画像表示装置は、前記色相画素表示部が、白色光を発光する光源と、前記白色光の透過光量を制御する低解像度モノクローム液晶パネルと、前記低解像度モノクローム液晶パネルを透過した白色光に前記色相画素に基づいて色相を与えるカラーフィルタとを有し、前記輝度画素表示部が、前記色相の与えられた前記白色光の輝度を前記輝度画素に基づいて制御するモノクローム液晶パネルを有してもよい。
【００１５】
本発明の画像表示装置は、前記モノクローム液晶パネルが、第１のモノクローム液晶パネルと、前記第１のモノクローム液晶パネルに対して１／２画素ずらして配置される第２のモノクローム液晶パネルとを有してもよい。
【００１６】
本発明の画像表示装置は、ＲＧＢ信号に基づいて色相画素を生成する色相画素生成手段と、前記ＲＧＢ信号に基づいて輝度画素を生成する輝度画素生成手段と、前記色相画素と前記輝度画素とを重畳してカラー画像を表示する表示手段とを備え、前記色相画素生成手段が、前記ＲＧＢ信号に基づいて複数の前記輝度画素ごとに１つの色相画素を生成する色相画素生成部と、前記色相画素の色相および彩度を補正する色相画素補正部とを有し、前記輝度画素生成手段が、前記ＲＧＢ信号に基づいて前記輝度画素を生成する輝度画素生成部と、前記輝度画素の輝度を補正後の前記色相画素の輝度に基づいて補正する輝度画素補正部とを有し、前記表示手段が、補正後の前記色相画素を表示する色相画素表示部と、補正後の前記輝度画素を対応する前記色相画素に重畳して表示する輝度画素表示部と、反射面が回転楕円面で形成された凹面鏡とを有し、前記凹面鏡の一方の焦点位置に前記色相画素表示部を設け、前記凹面鏡の他方の焦点位置に前記輝度画素表示部を設けた構成を有してもよい。
【００１７】
本発明の画像表示装置は、前記輝度画素生成手段が、補正後の前記色相画素の輝度が所定の閾値輝度以下であるときは、補正後の前記輝度画素を強調する低輝度強調部を有し、前記色相画素生成手段が、前記輝度画素の強調に応じて補正後の前記色相画素の輝度を弱化する色相画素輝度弱化部を有してもよい。
【発明の効果】
【００１８】
本発明は、高い解像度の画像を安定して表示することができるという効果を有する画像表示装置を提供することができるものである。
【発明を実施するための最良の形態】
【００１９】
（第１の実施形態）
以下図面を参照して、本発明に係る画像表示装置の第１の実施形態を説明する。
【００２０】
図１は本発明に係る画像表示装置１であって、ＲＧＢ信号に基づいて色相画素を生成する色相画素生成手段１１と、ＲＧＢ信号に基づいて輝度画素を生成する輝度画素生成手段１２と、色相画素と輝度画素とを重畳してカラー画像を表示する表示手段１３とを備える。
【００２１】
色相画素生成手段１１は、ＲＧＢ信号に基づいて複数の輝度画素ごとに１つの色相画素を生成する色相画素生成部１１１を有する。また、色相画素の色相および彩度を補正する色相画素補正部１１２を有していてもよい。
【００２２】
輝度画素生成手段１２は、ＲＧＢ信号に基づいて輝度画素を生成する輝度画素生成部１２１を有する。また、輝度画素の輝度を補正後の色相画素の輝度に基づいて補正する輝度画素補正部１２２を有していてもよい。
【００２３】
表示手段１３は、補正後の色相画素を表示する色相画素表示部１３１と、補正後の輝度画素を対応する色相画素に重畳して表示する輝度画素表示部１３２と、光学系１３３とを有する。
【００２４】
図２は、本発明に係る画像表示装置１のハードウエア構成および光学系１３３の構成を示す図であって、色相画素生成手段１１および輝度画素生成手段１２は、マイクロコンピュータ２にインストールされるプログラムによって実現される。
【００２５】
マイクロコンピュータ２は、色相画素生成手段１１および輝度画素生成手段１２を実現するプログラムを実行するＣＰＵ２１と、このプログラムを記憶するメモリ２２と、テレビジョン受信機（図示せず）が出力するＲＧＢ信号を入力するＲＧＢ信号入力部２３と、色相画素を出力する色相画素出力部２４と、輝度画素を出力する輝度画素出力部２５と、これらを相互に結合するバス２６とを有する。
【００２６】
光学系１３３は、色相画素表示部１３１として機能し色相画素を表示する第１変調部３０と、輝度画素表示部１３２として機能し輝度画素を表示する第２変調部４０と、第１変調部３０の出射光の広がりを抑える補正レンズ１３３ａと、補正レンズ１３３ａからの光を反射する凹面鏡１３３ｂと、第２変調部４０の出射光をスクリーン（図示せず）に投射する投射レンズ１３３ｃとを有する。ここで、凹面鏡１３３ｂの反射面は回転楕円面で形成されており、この反射面は焦点Ｐ１およびＰ２を有する。また、第１変調部３０および第２変調部４０は、それぞれ、凹面鏡１３３ｂの反射面が有する焦点Ｐ１およびＰ２の位置を基準として設けられており、詳細は後述する。
【００２７】
第１変調部３０は、白色光から分離された青色光、緑色光および赤色光のそれぞれの強度を色相画素出力部２４から出力される表示用色相に基づいて制御し、ＲＧＢ合成光を出射するようになっている。このＲＧＢ合成光は、補正レンズ１３３ａおよび凹面鏡１３３ｂを介して第２変調部４０に入射するようになっている。
【００２８】
第１変調部３０は、例えば図３に示すように構成される。即ち、第１変調部３０は、白色光を発生する光源３１と、白色光を青色光と黄色光とに分離するダイクロイックミラー３２ａと、黄色光を反射するミラー３３ａと、黄色光を赤色光と緑色光とに分離するダイクロイックミラー３２ｂと、赤色光を反射するミラー３３ｂおよび３３ｃと、青色光の強度を制御する青色用液晶パネル３４と、緑色光の強度を制御する緑色用液晶パネル３５と、赤色光の強度を制御する赤色用液晶パネル３６と、強度が制御された青色光、緑色光および赤色光を合成するダイクロイックプリズム３７とを有する。なお、ダイクロイックミラー３２ａおよび３２ｂは、本発明に係る光分離手段を構成する。また、ダイクロイックプリズム３７は、本発明に係る光合成手段を構成する。
【００２９】
青色用液晶パネル３４、緑色用液晶パネル３５および赤色用液晶パネル３６は、白色光から分離された青色光、緑色光および赤色光のそれぞれの強度を色相画素出力部２４から出力される表示用色相信号に基づいて制御するようになっている。
【００３０】
第２変調部４０は、例えばモノクローム液晶パネルで構成され、輝度画素出力部２５から出力される表示用輝度に基づいてＲＧＢ合成光の輝度を制御するようになっている。輝度の制御されたＲＧＢ合成光は、投射レンズ１３３ｃを介してスクリーンに投射され、スクリーン上にカラー画像を形成する。
【００３１】
第１変調部３０および第２変調部４０の画素は、例えば図４に示すように構成される。
【００３２】
図４（ａ）は第１変調部３０の画素３８を概念的に示す斜視図であって、斜線で示したものは１つの色相画素用セル３８ａを示す。１つの色相画素用セル３８ａは、Ｒエレメント、ＧエレメントおよびＢエレメントが例えばストライプ状に配置された構成となっている。
【００３３】
また、図４（ｂ）は第２変調部４０の画素４１を概念的に示す斜視図であって、斜線で示したものは１つの輝度画素用セル４１ａを示し、１つの色相画素用セル３８ａの中には、４×４＝１６個の輝度画素用セル４１ａ〜４１ｐが含まれている。
【００３４】
ＲＧＢ信号入力部２３は、図５に示すように、テレビジョン受信機が出力するＲＧＢ信号をディジタル化して画素Ｐを生成するＡ／Ｄ変換器５０と、３つのラインメモリ５１、５２および５３と、４つの画素メモリ５５、５６、５７および５８と、バス２６を介してＣＰＵ２１に画素を伝送する入力Ｉ／Ｆ５９とを有する。
【００３５】
なお、画素Ｐは、赤色成分Ｒ、緑色成分Ｇおよび青色成分Ｂを有する。
【００３６】
３つのラインメモリ５１、５２および５３は、それぞれが１本の水平走査線分のＲＧＢ画素を記憶する容量を有し、４つの画素メモリ５５、５６、５７および５８は、それぞれが３つの画素を記憶する容量を有している。
【００３７】
そして、Ａ／Ｄ変換器５０は第１のラインメモリ５１の入力に接続され、第２のラインメモリ５２の入力は第１のラインメモリ５１の出力に接続され、第３のラインメモリ５３の入力は第２のラインメモリ５２の出力に接続されている。
【００３８】
従って、３つのラインメモリ５１、５２および５３は、Ａ／Ｄ変換器５０がｉ番目の水平走査線に相当する画素列Ｑ（ｉ）を第１のラインメモリ５１に出力すると、第１のラインメモリ５１は（ｉ−１）番目の水平走査線に相当する画素列Ｑ（ｉ−１）を第２のラインメモリ５２に出力し、第２のラインメモリ５２は（ｉ−２）番目の水平走査線に相当するＲＧＢ画素列Ｑ（ｉ−２）を第３のラインメモリ５３に出力し、第３のラインメモリ５３は（ｉ−３）番目の水平走査線に相当する画素列Ｑ（ｉ−３）を出力するように構成されている。
【００３９】
第１の画素メモリ５５の入力は直接Ａ／Ｄ変換器５０の出力に接続され、第２の画素メモリ５６の入力は第１のラインメモリ５１の出力に接続され、第３の画素メモリ５７の入力は第２のラインメモリ５２の出力に接続され、第４の画素メモリ５８の入力は第３のラインメモリ５３の出力に接続される。
【００４０】
４つの画素メモリ５５、５６、５７および５８は、すべて同一の構成を有するので、以下第１の画素メモリ５５の構成について説明する。
【００４１】
第１の画素メモリ５５は、第１の画素遅延素子５５１、第２の画素遅延素子５５２および第３の画素遅延素子５５３が直列に接続された構成を有する。
【００４２】
従って、第１の画素遅延素子５５１は、画素Ｐ（ｉ，ｊ）を入力し、画素Ｐ（ｉ，ｊ−１）を出力する。第２の画素遅延素子５５２は画素Ｐ（ｉ，ｊ−１）を入力し、画素Ｐ（ｉ，ｊ−２）を出力する。第３の画素遅延素子５５３は画素Ｐ（ｉ，ｊ−２）を入力し、画素Ｐ（ｉ，ｊ−３）を出力する。
【００４３】
即ち、第１の画素メモリ５５は、Ａ／Ｄ変換器５０が出力する画素Ｐ（ｉ，ｊ）、第１の画素遅延素子５５１が出力する画素Ｐ（ｉ，ｊ−１）、第２の画素遅延素子５５２が出力する画素Ｐ（ｉ，ｊ−２）および第３の画素遅延素子５５３が出力する画素Ｐ（ｉ，ｊ−３）を入力インターフェイス（Ｉ／Ｆ）５９に出力するように構成されている。
【００４４】
同様に、第２の画素メモリ５６は、第１のラインメモリ５１が出力する画素Ｐ（ｉ−１，ｊ）、第１の画素遅延素子５６１が出力する画素Ｐ（ｉ−１，ｊ−１）、第２の画素遅延素子５６２が出力する画素Ｐ（ｉ−１，ｊ−２）および第３の画素遅延素子５６３が出力する画素Ｐ（ｉ−１，ｊ−３）を入力Ｉ／Ｆ５９に出力するように構成されている。
【００４５】
また、第３の画素メモリ５７は、第２のラインメモリ５２が出力する画素Ｐ（ｉ−２，ｊ）、第１の画素遅延素子５７１が出力する画素Ｐ（ｉ−２，ｊ−１）、第２の画素遅延素子５７２が出力する画素Ｐ（ｉ−２，ｊ−２）および第３の画素遅延素子５７３が出力する画素Ｐ（ｉ−２，ｊ−３）を入力Ｉ／Ｆ５９に出力するように構成されている。
【００４６】
さらに、第４の画素メモリ５８は、第３のラインメモリ５３が出力する画素Ｐ（ｉ−３，ｊ）、第１の画素遅延素子５８１が出力する画素Ｐ（ｉ−３，ｊ−１）、第２の画素遅延素子５８２が出力する画素Ｐ（ｉ−３，ｊ−２）および第３の画素遅延素子５８３が出力する画素Ｐ（ｉ−３，ｊ−３）を入力Ｉ／Ｆ５９に出力するように構成されている。
【００４７】
［光学系の説明］
次に本実施形態における光学系１３３について説明する。
【００４８】
前述したように、第１変調部３０および第２変調部４０は、それぞれ、凹面鏡１３３ｂの反射面が有する焦点Ｐ１およびＰ２の位置を基準として設けられている。従って、焦点Ｐ１の近傍にある第１変調部３０から出射した光が、焦点Ｐ２の近傍にある第２変調部４０に入射することとなるが、これはあくまでも焦点のみで成り立つことである。実際には、第１変調部３０の出射面および第２変調部４０の入射面は広がりを持っているため、第１変調部３０の画素から出射した光が第２変調部４０の対応する画素に入射するかについて以下検討する。
【００４９】
検討をするため、図６に示した配置を想定する。図６において、２つの焦点Ｐ１およびＰ２と、第１変調部３０としての第１液晶パネル（以下「ＬＣＤ１」）と、第２変調部４０としての第２液晶パネル（以下「ＬＣＤ２」）とがあり、ＬＣＤ１面にほぼ垂直にＬＣＤ１から光が出射し、その光が凹面鏡で反射してＬＣＤ２に入射する。以下、焦点Ｐ１の座標を（−ａ，ｄ）とし、焦点Ｐ２の座標を（ａ，ｄ）とする。また、凹面鏡の座標を［数１］とする。
【００５０】
【数１】
2010039184.tif 000003
【００５１】
ここで各ＬＣＤがｘ軸に対して傾いているのは、ＬＣＤ１面に対して垂直に出射した光が、凹面鏡１３３ｂの反射面で反射した後ＬＣＤ２面に対して垂直に入射するためである。
【００５２】
ＬＣＤ１面は［数２］で表される。
【数２】
2010039184.tif 000004
【００５３】
ＬＣＤ２面は［数３］で表される。
【数３】
2010039184.tif 000005
【００５４】
ＬＣＤ１面上に点Ｑ１（ｘ１，ｙ１）を考える。この点からＬＣＤ１面に対して垂直に出射した光が凹面鏡１３３ｂの反射面上の点Ｑ３（ｘ３，ｙ３）で反射しＬＣＤ２面上の点Ｑ２（ｘ２，ｙ２）に入射するとする。
【００５５】
点Ｑ１（ｘ１，ｙ１）の座標は［数４］を満たす。
【数４】
2010039184.tif 000006
【００５６】
点Ｑ１から出射した光は［数５］で示される。
【数５】
2010039184.tif 000007
【００５７】
点Ｑ３（ｘ３，ｙ３）の座標は［数６］を満たす。
【数６】
2010039184.tif 000008
【００５８】
これを計算するとｙ３は正なので、ｙ３は［数７］で求まる。
【数７】
2010039184.tif 000009
【００５９】
反射面上の点Ｑ３（ｘ３，ｙ３）における接線は［数８］で示される。
【数８】
2010039184.tif 000010
【００６０】
反射面上の点Ｑ３（ｘ３，ｙ３）における反射光は［数９］で示される。
【数９】
2010039184.tif 000011
【００６１】
点Ｑ２（ｘ２，ｙ２）は［数９］式と［数３］式との交点なので、その座標は［数１０］を満たす。
【数１０】
2010039184.tif 000012
【００６２】
次に、図７に示すように各々の素子上での位置をＺ１、Ｚ２とし、相対位置の差（Ｚ１−Ｚ２）をａ、ｂ、ｄについて２つの条件で計算した。１つ目の条件は、ａ＝１、ｂ＝５、ｄ＝０（条件１）で、もう１つの条件はａ＝１、ｂ＝２０、ｄ＝０（条件２）である。計算結果を図８に示す。図８（ａ）は条件１、図８（ｂ）は条件２での計算結果を示す。なお、図８（ａ）および（ｂ）におけるＬＣＤ位置が正の方向は、図６においてＬＣＤ１の内側（原点側）に向かう方向を示す。
【００６３】
図８（ａ）および（ｂ）に示すように、ｂの値が大きいほど、従ってＬＣＤサイズに比較して楕円の大きさが大きいほど、誤差が少ない。また、ＬＣＤ１からの出射位置が内側になるほど誤差が少ない。条件１では、ＬＣＤ１上で−０．３〜１の範囲で使用するとして誤差は０〜０．０２なので、ＨＤ（High Definition）解像度相当のパネルであれば最大±１５画素のずれである。一般に、ＨＤ解像度相当のパネルにおける色相画素の画素ずれは±２画素程度以下が好ましいとされているので、条件１での光学系では画素ずれが大きく実用的ではない。
【００６４】
一方、条件２では、ＬＣＤ１上で−０．４〜１の範囲で使用するとして誤差は０〜０．００１なので、ＨＤ解像度相当のパネルであれば最大±０．７画素のずれになる。従って、条件２での光学系では、色相画素の画素ずれが±２画素程度以下となるので好ましい。
【００６５】
以上のように光学系１３３の条件を色相画素の画素ずれを考慮して選べば、第１変調部３０の画素から出射した光は第２変調部４０の対応する画素位置にほぼ等しく入射することとなる。
【００６６】
［解像度の検討］
前述の検討結果は、ＬＣＤ１から出射する光を完全な平行光とした場合である。出射光は実際にはある程度広がりを持っており、これによって解像度が低下しないかを検討する必要がある。
【００６７】
そこで図９に示すように、ＬＣＤ１からの出射光が平行光ではなく角度θの広がりを持っているとして前述と同様な計算をした。凹面鏡１３３ｂの反射面の構成条件は前述の条件２とし、ＬＣＤ１上の位置Ｚ１として−０．４〜１．０の範囲において、θをパラメータとして位置ずれを調べた。なお、図９には、Ｚ１、Ｚ２およびθの正負の定義を示している。
【００６８】
θ＝−１０°〜１０°について計算した結果を図１０に示す。図１０に示すように、θが大きくなるに従ってＬＣＤ２上では入射光が大きく広がりを持つことがわかる。ＬＣＤ１上で−０．３〜１．０を適用範囲として出射光の広がりを−３°〜３°程度に抑えると、ＬＣＤ２上では−０．００２〜０．００２の広がりとなる。これはＨＤ解像度で±３画素程度の画素ずれに対応する。従って、ＨＤ解像度で±１画素程度に画素ずれを抑えようとすると光の広がりを−１°〜１°程度にする必要がある。
【００６９】
図１０において、位置ずれは平行光からのずれの角度θにほぼ比例し、さらにＬＣＤ１の小さい範囲においては位置ずれが比例しているように見える。このため、ＬＣＤ２をやや傾けると画素ずれは改善される可能性がある。そこで、ＬＣＤ２をθの正方向に４°傾け同じ計算を行った。その結果を図１１に示す。この条件では、ＬＣＤ１上で０〜０．４を適用範囲として出射光の広がりを−３°〜３°程度に抑えると、ＬＣＤ２上では０〜０．０００５の広がりとなる。これはＨＤ解像度で±１．１画素程度の画素ずれに対応するので、画素ずれが約１／３に改善されることとなる。なお、出射光の広がりを抑えるためには、図２に示したように補正レンズ１３３ａを使用する構成とするのが好ましい。
【００７０】
［表１］は、ＬＣＤ２の傾きに対する、ＬＣＤ２上での画素ずれを算出した結果を示すものである。［表１］に示すように、色相画素の画素ずれが±２画素程度以下（レンジで４画素程度以下）とするためには、ＬＣＤ２の傾きを２．５°〜４．５°程度とするのが好ましい。
【００７１】
【表１】
2010039184.tif 000013
【００７２】
次に本発明に係る画像表示装置１の第１の実施形態の動作を、ＣＰＵ２１で実行されるプログラムのフローチャートを参照しつつ説明する。
【００７３】
図１２はＣＰＵ２１が実行するメインプログラムのフローチャートであって、ＣＰＵ２１は新たなフレームが始まるたびに（垂直帰線期間が検出されるたびに）、このプログラムを実行する。
【００７４】
ＣＰＵ２１は、まず水平走査線の番号を表すパラメータｉを"１"に初期化（ステップＳ１１）し、次にパラメータｉが"４"の倍数であるか否かを判定（ステップＳ１２）する。
【００７５】
ＣＰＵ２１は、パラメータｉが"４"の倍数であれば、１本の水平走査線に含まれる画素の番号を表すパラメータｊを"１"に初期化（ステップＳ１３）し、次にパラメータｊが"４"の倍数であるか否かを判定（ステップＳ１４）する。
【００７６】
ＣＰＵ２１は、パラメータｊが"４"の倍数であれば、画素読み込みルーチン（ステップＳ２）、色相画素生成ルーチン（ステップＳ３）、輝度画素生成ルーチン（ステップＳ４）および表示ルーチン（ステップＳ５）を順次実行する。
【００７７】
ＣＰＵ２１は、パラメータｊが最大値ｊｍａｘに到達したか否かを判定（ステップＳ１５）し、パラメータｊが最大値ｊｍａｘに到達していないと判定したときは、パラメータｊをインクリメント（ステップＳ１６）してステップＳ１４に戻る。なお、ｊｍａｘは、１本の水平走査線のサンプリング回数である。
【００７８】
ＣＰＵ２１は、パラメータｊが最大値ｊｍａｘに到達したと判定したときは、パラメータｉが最大値ｉｍａｘに到達したか否かを判定（ステップＳ１７）し、パラメータｉが最大値ｉｍａｘに到達していないと判定したときは、パラメータｉをインクリメント（ステップＳ１８）してステップＳ１２に戻る。なお、ｉｍａｘは、１フレームの水平走査線数である。
【００７９】
ＣＰＵ２１は、パラメータｉが最大値ｉｍａｘに到達したと判定したときは、１フレームの処理が完了したものとしてこのプログラムを終了する。
【００８０】
図１３は、メインプログラム（図１２参照）のステップＳ２で実行される画素読み込みルーチンのフローチャートであって、ＣＰＵ２１は、４×４＝１６個の画素群の垂直および水平方向の位置を表すパラメータｍおよびｎをそれぞれ"１"に初期化（ステップＳ２１）する。
【００８１】
次に、ＣＰＵ２１は、ＲＧＢ信号入力部２３の入力Ｉ／Ｆ５９（図５参照）を介して赤色成分Ｒ（ｍ，ｎ）、緑色成分Ｇ（ｍ，ｎ）および青色成分Ｂ（ｍ，ｎ）から成る画素Ｐ（ｍ，ｎ）を読み込む（ステップＳ２２）。
【００８２】
ＣＰＵ２１は、パラメータｎが"４"に到達したか否かを判定（ステップＳ２３）し、到達していないと判定したときには、パラメータｎをインクリメント（ステップＳ２４）してステップＳ２２に戻る。
【００８３】
ＣＰＵ２１は、パラメータｎが"４"に到達したと判定したときには、パラメータｍが"４"に到達したか否かを判定（ステップＳ２５）し、到達していないと判定したときには、パラメータｍをインクリメント（ステップＳ２６）してステップＳ２２に戻る。
【００８４】
ＣＰＵ２１は、パラメータｍが"４"に到達したと判定したときには、４×４＝１６個の画素の読み取りが完了したものとして、このルーチンを終了する。
【００８５】
図１４は、メインプログラム（図１２参照）のステップＳ３で実行される色相表示画素生成ルーチンのフローチャートであって、ＣＰＵ２１は、まず、パラメータｉおよびｊを"４"で除した商をそれぞれパラメータＩおよびＪとする（ステップＳ３０）。
【００８６】
次に、ＣＰＵ２１は、画素読み取りルーチンで読み取った１６個の画素Ｐ（ｍ，ｎ）の平均値として色相画素Ｐｃ（Ｉ，Ｊ）＝｛Ｒｃ（Ｉ，Ｊ）、Ｇｃ（Ｉ，Ｊ）、Ｂｃ（Ｉ，Ｊ）｝を生成（ステップＳ３１）する。なお、ステップＳ３１の処理が色相画素生成部１１１の動作に相当する。
【００８７】
さらに、ＣＰＵ２１は、色相画素Ｐｃ（Ｉ，Ｊ）の各要素Ｒｃ（Ｉ，Ｊ）、Ｇｃ（Ｉ，Ｊ）およびＢｃ（Ｉ，Ｊ）の最大値Ｓを算出（ステップＳ３２）し、色相画素Ｐｃ（Ｉ，Ｊ）の各要素Ｒｃ（Ｉ，Ｊ）、Ｇｃ（Ｉ，Ｊ）およびＢｃ（Ｉ，Ｊ）をＳで除する補正を行って（ステップＳ３３）、このルーチンを終了する。
【００８８】
なお、ステップＳ３２およびステップＳ３３の処理が色相画素補正部１１２の動作に相当する。
【００８９】
図１５は、メインプログラム（図１２参照）のステップＳ４で実行される輝度画素生成ルーチンのフローチャートであって、ＣＰＵ２１は、まず、色相表示画素Ｐｃ（Ｉ，Ｊ）の輝度Ｙｃ（Ｉ，Ｊ）を予め定められた関数ｆを使用して算出（ステップＳ４０）する。
【００９０】
関数ｆはテレビジョン放送方法により定まる関数であって、例えば高精細度テレビジョンにおいては、次式により算出される。
Ｙｃ（Ｉ，Ｊ）＝ｆ｛Ｐｃ（Ｉ，Ｊ）｝
＝ｆ｛（Ｒｃ（Ｉ，Ｊ），Ｇｃ（Ｉ，Ｊ），Ｂｃ（Ｉ，Ｊ））
＝0.2126Ｒｃ（Ｉ，Ｊ）＋0.7152Ｇｃ（Ｉ，Ｊ）＋0.0722Ｂｃ（Ｉ，Ｊ）
【００９１】
そして、ＣＰＵ２１は、４×４の画素群の垂直および水平方向の位置を表すパラメータｍおよびｎをそれぞれ"１"に初期化（ステップＳ４１）する。
【００９２】
次に、ＣＰＵ２１は、画素読み取りルーチンで読み取った輝度画素Ｐ（ｍ，ｎ）＝｛Ｒ（ｍ，ｎ）、Ｇ（ｍ，ｎ）、Ｂ（ｍ，ｎ）｝の輝度Ｙｙ（ｍ，ｎ）を前述した関数ｆを使用して生成（ステップＳ４２）する。なお、ステップＳ４２の処理が、輝度画素生成部１２１の動作に相当する。
Ｙｙ（ｍ，ｎ）＝ｆ｛Ｐ（ｍ，ｎ）｝
＝ｆ｛（Ｒ（ｍ，ｎ），Ｇ（ｍ，ｎ），Ｂ（ｍ，ｎ））
＝0.2126Ｒ（ｍ，ｎ）＋0.7152Ｇ（ｍ，ｎ）＋0.0722Ｂ（ｍ，ｎ）
【００９３】
次に、輝度画素Ｐ（ｍ，ｎ）の輝度Ｙｙ（ｍ，ｎ）をステップＳ４１で算出した色相画素の輝度Ｙｃ（Ｉ，Ｊ）で除する補正（ステップＳ４３）を行う。なお、ステップＳ４１およびステップＳ４３の処理が輝度画素補正部１２２の動作に相当する。
【００９４】
以上の処理を画素読み取りルーチンで読み取った１６個の画素Ｐ（ｍ，ｎ）について実行（ステップＳ４４〜ステップＳ４７）する。
【００９５】
図１６は、メインプログラム（図１２参照）のステップＳ５で実行される表示ルーチンのフローチャートであって、ＣＰＵ２１は、４×４の画素群の垂直および水平方向の位置を表すパラメータｍおよびｎをそれぞれ"１"に初期化（ステップＳ５０）する。
【００９６】
次に、ＣＰＵ２１は、パラメータｉおよびｊを"４"で除した商をそれぞれパラメータＩおよびＪとし（ステップＳ５１）、Ｉ＋ｍをＭに、Ｊ＋ｎをＮに設定（ステップＳ５２）する。
【００９７】
ＣＰＵ２１は、座標（Ｍ，Ｎ）の表示用輝度Ｙｄ（Ｍ，Ｎ）を輝度画素の輝度Ｙｙ（ｍ，ｎ）に設定（ステップＳ５３）し、座標（Ｍ，Ｎ）の表示用色相Ｐｄ（Ｍ，Ｎ）を補正後の色相画素Ｐｃ（Ｉ，Ｊ）の色相に設定（ステップＳ５４）し、輝度画素出力部２５（図２参照）を介して表示手段１３に表示用輝度Ｙｄ（Ｍ，Ｎ）を、色相画素出力部２４（図２参照）を介して表示用色相Ｐｄ（Ｍ，Ｎ）を出力（ステップＳ５５）する。
【００９８】
以上の処理を画素読み取りルーチンで読み取った１６個の画素Ｐ（ｍ，ｎ）について実行（ステップＳ５６〜ステップＳ５９）する。
【００９９】
表示用色相Ｐｄ（Ｍ，Ｎ）は第１変調部３０（図２参照）に伝送され、第１変調部３０の各色用液晶パネルを透過する光の光量を制御して画像の色相を制御する。
【０１００】
表示用輝度Ｙｄ（Ｍ，Ｎ）は第２変調部４０（図２参照）に伝送され、第２変調部４０は第１変調部３０の出射光の輝度を制御する。なお、表示用輝度Ｙｄ（Ｍ，Ｎ）はＭおよびＮが変化するたびに変化するが、表示用色相Ｐｄ（Ｍ，Ｎ）はＭおよびＮがそれぞれ"４"の倍数となるまでは一定値に維持される。
【０１０１】
以上説明したように、第１の実施形態によれば、低解像度の色相画素用液晶パネルを含む第１変調部３０と、高解像度の輝度画素用液晶パネルを含む第２変調部４０と、反射面が回転楕円面で形成された凹面鏡１３３ｂとを備え、第１変調部３０および第２変調部４０を、それぞれ、凹面鏡１３３ｂの焦点位置に基づいて設ける構成としたので、第１変調部３０と第２変調部４０とを従来よりも互いに近接させることができる。従って、高い解像度の画像を安定して表示することができる画像表示装置を安価に実現することが可能となる。
【０１０２】
（第２の実施形態）
図１７は、第２の実施形態における第１変調部６０および第２変調部７０の構造図であって、第１の実施形態における第１変調部３０および第２変調部４０の一部をそれぞれ変更したものである。
【０１０３】
第１変調部６０は、図１７（ａ）に示すように、光源３１と、低解像度モノクローム液晶パネル６１と、偏光ビームスプリッタ６２と、高速駆動カラーフィルタ６３とを備える。この構成において、光源３１から放射された白色光は、偏光ビームスプリッタ６２を介して低解像度モノクローム液晶パネル６１に照射される。低解像度モノクローム液晶パネル６１は、色相画素出力部２４から出力される表示用色相に基づいて色相画素の輝度を決定する。低解像度モノクローム液晶パネル６１と同期して高速駆動カラーフィルタ６３が動作し、色相が決定されてＲＧＢ合成光を出射する。
【０１０４】
第２変調部７０は、図１７（ｂ）に示すように、輝度制御用液晶パネル７１と、偏光ビームスプリッタ７２とを備える。この構成において、第２変調部７０は、第１変調部６０からのＲＧＢ合成光の輝度を輝度画素出力部２５から出力される表示用輝度に基づいて制御する。輝度の制御されたＲＧＢ合成光は、偏光ビームスプリッタ７２および投射レンズ１３３ｃを介してスクリーン（図示せず）に投射され、カラー画像を形成する。
【０１０５】
なお、色相画素生成手段１１および輝度画素生成手段１２の構成および動作は、第１の実施形態と同一であるので、説明を省略する。また、第２変調部７０の構成を第１の実施形態に適用してもよい。
【０１０６】
以上説明したように、第２の実施形態によれば、高い解像度の画像を安定して表示することができる画像表示装置を安価に実現することが可能となる。
【０１０７】
（第３の実施形態）
図１８は、第３の実施形態における第１変調部８０および第２変調部９０の構造図であって、第２の実施形態における第１変調部６０および第２変調部７０の一部をそれぞれ変更したものである。
【０１０８】
第１変調部８０は、図１８（ａ）に示すように、高速駆動カラーフィルタ６３の下流側に位相板８１を備えている。位相板８１は、後述する輝度制御用液晶パネル７１および第２の輝度制御用液晶パネル９１の両方に、高速駆動カラーフィルタ６３を透過したＲＧＢ合成光を導くために設けられたものである。
【０１０９】
第２変調部９０は、図１８（ｂ）に示すように、第２の実施形態における表示装置の解像度をさらに向上させるために、偏光ビームスプリッタ７２の面に輝度制御用液晶パネル７１のほかに第２の輝度制御用液晶パネル９１を備えている。輝度制御用液晶パネル７１および第２の輝度制御用液晶パネル９１は、図１８（ｂ）の右側に示すように、１／２画素ずらして配置される。
【０１１０】
なお、色相画素生成手段１１および輝度画素生成手段１２の構成および動作は、第１の実施形態と同一であるので、説明を省略する。また、第２変調部９０の構成を第１の実施形態に適用してもよい。
【０１１１】
以上説明したように、第３の実施形態によれば、高い解像度の画像を安定して表示することができる画像表示装置を安価に実現することが可能となる。
【０１１２】
（第４の実施形態）
第１から第３の実施形態にあっては、低輝度の領域は実際よりも暗く見えることを回避できない。
【０１１３】
本発明に係る画像表示装置で表示される画像の輝度は輝度画素の輝度Ｙｙと色相画素の輝度Ｙｃとの積で決定されるので、低輝度の領域で輝度画素の輝度Ｙｙを高め、色相画素の輝度Ｙｃを低下させることにより低輝度の領域を明るく表示することが可能となる。
【０１１４】
図１９は、本発明に係る画像表示装置の第４の実施形態のブロック図であって、輝度画素生成手段１２には輝度画素補正部１２２で補正された輝度画素の輝度が所定の輝度閾値以下であるときに輝度を強調する低輝度強調部１２３が追加され、色相画素生成手段１１には輝度画素の輝度の強調に対応して色相画素補正部１１２で補正された色相画素の輝度を弱める色相画素輝度弱化部１１３が追加される。
【０１１５】
図２０は、第４の実施形態において、ＣＰＵ２１で実行する第２のメインプログラムのフローチャートであって、図１２に示したメインプログラムの輝度表示画素生成処理（ステップＳ４）と表示処理（ステップＳ５）との間に、低輝度強調処理（ステップＳ６）と色相画素輝度弱化処理（ステップＳ７）とが追加される。
【０１１６】
図２１は、第２のメインプログラム（図２０参照）のステップＳ６で実行される低輝度強調ルーチンのフローチャートであって、ＣＰＵ２１は色相画素の輝度Ｙｃ（Ｉ，Ｊ）の値が予め定められた閾値ＹＬ以下であるか否かを判定（ステップＳ６１）する。
【０１１７】
ＣＰＵ２１は、色相画素の輝度Ｙｃ（Ｉ，Ｊ）が所定の閾値ＹＬより大きいときは直ちにこのルーチンを終了する。
【０１１８】
ＣＰＵ２１は、色相画素の輝度Ｙｃ（Ｉ，Ｊ）が所定の閾値ＹＬ以下であるときには、１６個の輝度画素の輝度Ｙｙ（ｍ，ｎ）の値を予め定められた量ΔＹ強調する（ステップＳ６２〜ステップＳ６７）。
【０１１９】
なお、ステップＳ６１〜ステップＳ６７までの処理が低輝度強調部１２３の動作に相当する。
【０１２０】
図２２は、第２のメインプログラム（図２０参照）のステップＳ７で実行される色相画素輝度弱化ルーチンのフローチャートであって、ＣＰＵ２１は色相画素の輝度Ｙｃ（Ｉ，Ｊ）が予め定められた閾値ＹＬ以下であるか否かを判定（ステップＳ７１）する。
【０１２１】
ＣＰＵ２１は、色相画素の輝度Ｙｃ（Ｉ，Ｊ）が所定の閾値ＹＬより大きいときは直ちにこのルーチンを終了する。
【０１２２】
ＣＰＵ２１は、色相画素の輝度Ｙｃ（Ｉ，Ｊ）が所定の閾値ＹＬ以下であるときには、弱化量αを｛１−ΔＹ／Ｙｃ（Ｉ，Ｊ）｝として算出（ステップＳ７２）し、色相画素の値にαを乗算して色相画素の輝度を弱化（ステップＳ７３）する。
【０１２３】
なお、ステップＳ７１〜ステップＳ７３までの処理が色相画素輝度弱化部１１３の動作に相当する。
【０１２４】
以上説明したように、第４の実施形態によれば、高い解像度の画像を安定して表示することができるとともに、低輝度の領域を明るく表示することが可能となる。
【０１２５】
なお、第１〜第４の実施形態においては、色相画素表示部１３１および輝度画素表示部１３２として液晶パネルを使用しているが、その他の電気光学素子（例えばＤＬＰ（Digital Light Processing）素子）を適用することもできる。
【産業上の利用可能性】
【０１２６】
以上のように、本発明に係る画像表示装置は、高い解像度の画像を安定して表示することができるという効果を有し、放射型の画像表示装置等として有用である。
【図面の簡単な説明】
【０１２７】
【図１】本発明の第１の実施形態における画像表示装置のブロック図
【図２】本発明の第１の実施形態における画像表示装置のハードウエア構成および光学系を示す図
【図３】本発明の第１の実施形態における第１変調部の構成図
【図４】本発明の第１の実施形態における画素構成を示す斜視図
【図５】本発明の第１の実施形態におけるＲＧＢ信号入力部のブロック図
【図６】本発明の第１の実施形態における光学系の説明図
【図７】本発明の第１の実施形態における光学系の説明図
【図８】本発明の第１の実施形態においてＬＣＤ上の位置と誤差との関係図
【図９】本発明の第１の実施形態において出射光が平行光でない場合の説明図
【図１０】本発明の第１の実施形態において出射光が平行光でない場合の計算結果を示す図
【図１１】本発明の第１の実施形態において出射光が平行光でない場合の計算結果を示す図
【図１２】本発明の第１の実施形態におけるメインプログラムのフローチャート
【図１３】本発明の第１の実施形態における画素読み込みルーチンのフローチャート
【図１４】本発明の第１の実施形態における色相画素生成ルーチンのフローチャート
【図１５】本発明の第１の実施形態における輝度画素生成ルーチンのフローチャート
【図１６】本発明の第１の実施形態における表示ルーチンのフローチャート
【図１７】本発明の第２の実施形態における第１変調部および第２変調部の構造図
【図１８】本発明の第３の実施形態における第１変調部および第２変調部の構造図
【図１９】本発明の第４の実施形態における画像表示装置のブロック図
【図２０】本発明の第４の実施形態におけるメインプログラムのフローチャート
【図２１】本発明の第４の実施形態における低輝度強調ルーチンのフローチャート
【図２２】本発明の第４の実施形態における色相画素輝度弱化ルーチンのフローチャート
【図２３】従来の投射型表示装置の概念図
【図２４】従来の投射型表示装置においてミラーを用いた構成例
【図２５】従来の投射型表示装置において第１変調部からの出射光の広がりを示す図
【符号の説明】
【０１２８】
１  画像表示装置
２  マイクロコンピュータ
１１  色相画素生成手段
１２  輝度画素生成手段
１３  表示手段
２１  ＣＰＵ
２２  メモリ
２３  ＲＧＢ信号入力部
２４  色相画素出力部
２５  輝度画素出力部
２６  バス
３０、６０、８０  第１変調部
３１  光源
３２ａ、３２ｂ  ダイクロイックミラー
３３ａ〜３３ｃ  ミラー
３４、３５、３６  青色、緑色、赤色用液晶パネル
３７  ダイクロイックプリズム
３８  第１変調部の画素
３８ａ  色相画素用セル
４０、７０、９０  第２変調部
４１  第２変調部の画素
４１ａ〜４１ｐ  輝度画素用セル
５０  Ａ／Ｄ変換器
５１〜５３  第１〜第３のラインメモリ
５５〜５８  第１〜第４の画素メモリ
５９  入力Ｉ／Ｆ
６１  低解像度モノクローム液晶パネル
６２、７２  偏光ビームスプリッタ
６３  高速駆動カラーフィルタ
７１  輝度制御用液晶パネル
８１  位相板
９１  第２の輝度制御用液晶パネル
１１１  色相画素生成部
１１２  色相画素補正部
１１３  色相画素輝度弱化部
１２１  輝度画素生成部
１２２  輝度画素補正部
１２３  低輝度強調部
１３１  色相画素表示部
１３２  輝度画素表示部
１３３  光学系
１３３ａ  補正レンズ
１３３ｂ  凹面鏡
１３３ｃ  投射レンズ
５５１〜５５３  第１〜第３の画素遅延素子
５６１〜５６３  第１〜第３の画素遅延素子
５７１〜５７３  第１〜第３の画素遅延素子
５８１〜５８３  第１〜第３の画素遅延素子
【図１】
2010039184.tif 000014
【図２】
2010039184.tif 000015
【図３】
2010039184.tif 000016
【図４】
2010039184.tif 000017
【図５】
2010039184.tif 000018
【図６】
2010039184.tif 000019
【図７】
2010039184.tif 000020
【図８】
2010039184.tif 000021
【図９】
2010039184.tif 000022
【図１０】
2010039184.tif 000023
【図１１】
2010039184.tif 000024
【図１２】
2010039184.tif 000025
【図１３】
2010039184.tif 000026
【図１４】
2010039184.tif 000027
【図１５】
2010039184.tif 000028
【図１６】
2010039184.tif 000029
【図１７】
2010039184.tif 000030
【図１８】
2010039184.tif 000031
【図１９】
2010039184.tif 000032
【図２０】
2010039184.tif 000033
【図２１】
2010039184.tif 000034
【図２２】
2010039184.tif 000035
【図２３】
2010039184.tif 000036
【図２４】
2010039184.tif 000037
【図２５】
2010039184.tif 000038